(57)【特許請求の範囲】
【請求項１】
本体ケースの内部に主回路接点の開閉動作を行うトグルリンク機構が内蔵されており、前記トグルリンク機構を操作する操作ハンドルのレバーが前記本体ケースの一部から外部に突出している回路遮断器の前記レバーを保護する保護カバーであって、
前記本体ケースの一部に着脱自在に装着され、前記レバーに対向する位置にカバー開口部が形成されている保護カバー本体と、
前記保護カバー本体に回動自在に連結され、前記カバー開口部を閉塞することで前記レバーを包囲し、前記カバー開口部を開口することで前記レバーの操作が可能となる開閉カバーと、を備え、
前記レバーの近くに、前記主回路接点をトリップ状態に動作させるトリップ動作ボタンが設けられており、
前記保護カバー本体は、前記開閉カバーが前記カバー開口部を閉塞した状態で、前記トリップ動作ボタンに対向する位置にボタン操作用開口部が形成されていることを特徴とする回路遮断器の保護カバー。
【請求項２】
前記レバーの近くに、前記主回路接点の開極及び閉極の動作確認を行う動作確認テストボタンが設けられており、
前記保護カバー本体は、前記開閉カバーが前記カバー開口部を閉塞した状態で、前記トリップ動作ボタン及び前記動作確認テストボタンに対向する位置に前記ボタン操作用開口部が形成されることを特徴とする請求項１記載の回路遮断器の保護カバー。
【請求項３】
前記本体ケースの前記レバーが突出しているケース面には、低いケース面及び高いケース面を有する段差面が形成されており、
前記レバーを包囲している前記保護カバー本体の裏面には、前記低いケース面の近くまで突出しているリブが形成されていることを特徴とする請求項１又は２記載の回路遮断器の保護カバー。
【請求項４】
前記回路遮断器は、複数の直方体形状の端子台が短尺方向に隣接配置され、前記端子台の夫々に回路遮断器本体が装着されているプラグイン形の回路遮断器であり、
前記回路遮断器本体の前記本体ケースの一部から外部に突出している前記レバーを包囲した状態で前記本体ケースの一部に着脱自在に装着されていることを特徴とする請求項１から３の何れか１項に記載の回路遮断器の保護カバー。
【発明の詳細な説明】
【技術分野】
【０００１】
本発明は、操作ハンドルを備えた回路遮断器の保護カバーに関する。
【背景技術】
【０００２】
操作ハンドルを備えた回路遮断器は、主回路接点を開閉する操作ハンドルのレバーが、筐体の一部に設けた開口部から外部に突出して設けられている。
この回路遮断器を給電設備の一部として配置する場合、操作ハンドルのレバーの誤操作を規制するため、操作ハンドルのレバーを固定するハンドルロック装置が外部付属装置として用意されている。
回路遮断器のハンドルロック装置として、例えば、特許文献１に記載されているように、ロック部材を操作ハンドルのレバーに係合し、ロック部材をケースカバーに固定することでハンドル操作を不可能とする装置がある。
【先行技術文献】
【特許文献】
【０００３】
【特許文献１】特開２０１５−４３２６４号公報
【発明の概要】
【発明が解決しようとする課題】
【０００４】
ところで、回路遮断器を閉極（ＯＮ位置）状態として電気設備に給電している最中に、ハンドルロック装置を回路遮断器に装着する場合がある。
この場合に、特許文献１のハンドルロック装置は、操作ハンドルのレバーにロック部材を係合させるので、誤ってレバーを閉極（ＯＮ位置）から開極（ＯＦＦ位置）に切り替えて給電を停止させてしまい、電気設備の操業に重大な支障をきたすおそれがある。
そこで、本発明は、操作ハンドルのレバーの誤操作規制を安全に行うことができる回路遮断器の保護カバーを提供することを目的としている。
【課題を解決するための手段】
【０００５】
上記目的を達成するために、本発明の一態様に係る回路遮断器の保護カバーは、本体ケースの内部に主回路接点の開閉動作を行うトグルリンク機構が内蔵されており、トグルリンク機構を操作する操作ハンドルのレバーが本体ケースの一部から外部に突出している回路遮断器のレバーを保護する保護カバーであって、本体ケースの一部に着脱自在に装着され、レバーに対向する位置にカバー開口部が形成されている保護カバー本体と、保護カバー本体に回動自在に連結され、カバー開口部を閉塞することでレバーを包囲し、カバー開口部を開口することでレバーの操作が可能となる開閉カバーと、を備え、レバーの近くに、主回路接点をトリップ状態に動作させるトリップ動作ボタンが設けられており、保護カバー本体は、開閉カバーがカバー開口部を閉塞した状態で、トリップ動作ボタンに対向する位置にボタン操作用開口部が形成されている。
【発明の効果】
【０００６】
本発明に係る回路遮断器の保護カバーによれば、保護カバーの外部からレバーを触ることができないので、操作ハンドルのレバーの誤操作規制を確実に行うことができる。
【図面の簡単な説明】
【０００７】
【図１】操作ハンドルを備えたプラグイン形の回路遮断器と、この回路遮断器に装着される保護カバーを示す図である。
【図２】回路遮断器本体に装着され、開閉カバーを開状態とした保護カバーを示す図である。
【図３】回路遮断器本体に装着され、開閉カバーを閉状態とした保護カバーを示す図である。
【図４】図４（ａ）は図３の要部断面ＡをＢ方向から示した模式図であり、図４（ｂ）は、回路遮断器本体に開閉カバーを逆向きに装着しようとしている状態を示した模式図である。
【図５】図３の符号Ｃで示す丸印の内部を詳細に示した図である。
【図６】短尺方向に複数並べて配置されたプラグイン形の回路遮断器と、回路遮断器に保護カバーが装着されている状態を示す図である。
【発明を実施するための形態】
【０００８】
次に、図面を参照して、本発明の第１及び第２実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
また、以下に示す第１及び第２実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【０００９】
［第１実施形態の回路遮断器］
図１は、配電盤（不図示）に配置される第１実施形態のプラグイン形の回路遮断器１を示すものである。
このプラグイン形の回路遮断器１は、配電盤の盤内に固定される直方体形状の端子台２と、端子台２に着脱自在に装着されている回路遮断器本体３と、を備えている。
回路遮断器本体３は、直方体箱形の底ケース４及び上部ケース５と、これら底ケース４及び上部ケース５の間に配置された中間ケース６とからなる本体ケース７を備えている。
本体ケース７の内部には、主回路接点（不図示）と、短絡事故等で主回路に過電流が流れたときに主回路接点をトリップ状態に動作させる過電流引外し装置（不図示）と、主回路接点の開閉動作を行うトグルリンク機構（不図示）とが内蔵されている。
【００１０】
本体ケース７の長手方向の両側部には、主回路接点に接続する電源側端子部（不図示）及び負荷側端子部（不図示）が形成されているとともに、これら電源側端子部及び負荷側端子部は端子カバー８ａ，８ｂで覆われている。
本体ケース７の上部ケース５は、中間ケース６に接続している一対の側壁９ａ，９ｂと、一対の側壁９ａ，９ｂの中間ケース６から最も離間した縁部同士を連結している上壁１０と、を備えている。
上壁１０は、短尺方向の一方に上段面１０ａが形成され、短尺方向の他方に下段面１０ｂが形成された段差を有する形状とされている。
【００１１】
そして、上段面１０ａの長手方向の一端側には長方形状のレバー開口部１１が形成されており、本体ケース７内のトグルリンク機構を操作する操作ハンドル１２のレバー１３がレバー開口部１１から外部に突出している。
このレバー１３は、レバー開口部１１の長手方向の一端側に位置しているとき（図１の位置）には、トグルリンク機構が主回路接点を閉極（ＯＮ位置）としており、レバー１３がレバー開口部１１の長手方向の他端側に位置しているときには、トグルリンク機構は主回路接点を開極（ＯＦＦ位置）としている。また、上段面１０ａの長手方向の他端側には、主回路接点をトリップ状態に動作させるトリップ動作ボタン１４が設けられている。
そして、下段面１ｂの長手方向の他端側にも、主回路接点の開極及び閉極の動作確認を行う動作確認テストボタン１５が設けられている。
【００１２】
［保護カバー］
第１実施形態のプラグイン形の回路遮断器１は、本体ケース７の上部ケース５に、図１に示す直方体箱形の保護カバー１６が着脱自在に装着される。
上部ケース５の一対の側壁９ａ，９ｂには、それぞれの長手方向に離間した位置に一対の装着用凹部１７ａ，１７ｂが形成されている。
保護カバー１６は、図１に示すように、一対の側部カバー１８ａ，１８ｂと、一対の側部カバー１８ａ，１８ｂの間の長手方向に離間した位置に形成された第１上部カバー１９ａ及び第２上部カバー１９ｂと、開閉カバー２５と、を備えている。
【００１３】
一対の側部カバー１８ａ，１８ｂの内壁には、長手方向に離間した位置に装着用凸部２０ａ，２０ｂが形成されており、上部ケース５の一対の側壁９ａ，９ｂに一対の側部カバー１８ａ，１８ｂの内壁が当接し、一対の装着用凹部１７ａ，１７ｂに一対の装着用凸部２０ａ，２０ｂが嵌まり込むことで、図２に示すように、上部ケース５に保護カバー１６が着脱自在に装着される。
保護カバー１６は、図２に示すように、第１上部カバー１９ａ及び第２上部カバー１９ｂの間にカバー開口部２１が形成されている。
保護カバー１６の長手方向の他端側であるカバー開口部２１の周囲には一対のヒンジ連結片２２ａ，２２ｂが形成されており、ヒンジ連結片２２ａ，２２ｂにはヒンジ穴２３が形成されている。
【００１４】
ヒンジ連結片２２ａ，２２ｂに、一対の連結杆２４ａ，２４ｂを介して開閉カバー２５が装着されている。
すなわち、一対の連結杆２４ａ，２４ｂの一端は開閉カバー２５に固定されており、一対の連結杆２４ａ，２４ｂの他端にはヒンジ軸（不図示）が形成されている。そして、一対の連結杆２４ａ，２４ｂの他端のヒンジ軸を一対のヒンジ連結片２２ａ，２２ｂのヒンジ穴２３に挿入することで、開閉カバー２５が、ヒンジ穴２３及びヒンジ軸の連結位置を回動中心としてカバー開口部２１を開閉するように回動する。
【００１５】
また、図２に示すように、一対の連結杆２４ａ，２４ｂが固定されている位置に対して逆側の開閉カバー２５の先端側には、開閉カバー２５を閉動作した際にカバー開口部２１の内側に入り込む一対の開閉カバー係合片２６ａ，２６ｂが形成されており、これら開閉カバー係合片２６ａ，２６ｂの互いに対向しない面に係合凸部２７が形成されている。
また、カバー開口部２１の長手方向の一端側の一対の側部カバー１８ａ，１８ｂには、開閉カバー２５を閉動作した際に、開閉カバー２５の係合凸部２７が嵌まり込む係合凹部２８が形成されている。
【００１６】
そして、図３及び図４（ａ）に示すように、本体ケース７の上部ケース５に装着した保護カバー１６は、開閉カバー２５を閉動作した際に、開閉カバー２５がレバー１３を覆っている。
ここで、図４（ａ）に示すように、上部ケース５に装着された保護カバー１６の一方の側部カバー１８ｂ側には、開閉カバー２５の内面から下段面１０ｂに近接する位置までの高さＴ１で突出するリブ２９を形成するようにしてもよい。このリブ２９の高さＴ１は、開閉カバー２５の内面から上段面１０ａまでの距離Ｔ２より長く設定されている（Ｔ１＞Ｔ２）。
【００１７】
また、図３及び図５に示すように、本体ケース７の上部ケース５に装着した保護カバー１６の開閉カバー２５が閉動作した際に、上部ケース５の上壁１０に設けたトリップ動作ボタン１４及び動作確認テストボタン１５を、外部から目視することができ、かつ外部から操作可能であるボタン操作用開口部３０が設けられている。
ここで、本発明に係る高いケース面が上段面１０ａに対応し、本発明に係る低いケース面が下段面１０ｂに対応している。
【００１８】
［第１実施形態の作用及び効果］
次に、保護カバー１６を着脱自在に装着した第１実施形態のプラグイン形の回路遮断器１の作用効果について説明する。
プラグイン形の回路遮断器１の回路遮断器本体３に装着された保護カバー１６は、開閉カバー２５を閉動作することで、外部から操作ハンドル１２のレバー１３が配置されているレバー開口部１１を閉塞する。したがって、保護カバー１６の外部からレバー１３を触ることができないので、操作ハンドル１２のレバー１３の誤操作規制を確実に行うことができる。
【００１９】
また、回路遮断器１のレバー１３をレバー開口部１１の長手方向の一端側に位置させて主接点回路を閉極（ＯＮ位置）として電気設備に給電しているときには、開閉カバー２５を閉動作した保護カバー１６を本体ケース７に装着する。これにより、開閉カバー２５の閉動作でレバー１３の誤操作規制を行うことができ、誤ってレバー１３をＯＮ位置からＯＦＦ位置に切り替えて給電を停止させてしまう等の重大な支障をきたすおそれがない。
また、回路遮断器１の主接点回路を閉極（ＯＮ位置）から開極（ＯＦＦ位置）に切り替える際には、開閉カバー２５の開動作を行うだけで容易に行うことができる。
また、回路遮断器本体３の上部ケース５に装着された保護カバー１６の開閉カバー２５が操作ハンドル１２のレバー１３を閉塞している状態で、上部ケース５のトリップ動作ボタン１４、或いは動作確認テストボタン１５を押す操作は、ボタン操作用開口部３０を通過させたドライバーなどで行うことができる。したがって、トリップ操作、或いは主回路接点の動作確認も容易に行うことができる。
【００２０】
さらに、回路遮断器本体３の上部ケース５に装着された保護カバー１６は、開閉カバー２５の内面から下段面１０ｂに近接しているリブ２９が形成されており（リブ２９の高さＴ１は、開閉カバー２５の内面から上段面１０ａまでの距離Ｔ２より長く設定されている（Ｔ１＞Ｔ２））、この保護カバー１６を逆向き（図１において保護カバー１６の上下位置を逆）にして上部ケース５に装着しようとすると、図４（ｂ）に示すように、リブ２９が開閉カバー２５の内面から上段面１０ａに当接し、保護カバー１６を装着することができない。したがって、保護カバー１６にリブ２９を設けたことで、保護カバー１６の逆向きの取付けを確実に防止することができる。
【００２１】
［第２実施形態の回路遮断器］
次に、図６は、配電盤（不図示）に配置される第２実施形態のプラグイン形の回路遮断器３１を示すものである。
このプラグイン形の回路遮断器３１は、配電盤の盤内に短尺方向に複数が隣接配置された端子台２Ａ，２Ｂ，２Ｃと、これら端子台２Ａ，２Ｂ，２Ｃに装着された複数の回路遮断器本体３Ａ，３Ｂ，３Ｃと、を備えている。ここで、回路遮断器本体３Ａ，３Ｂ，３Ｃは、第１実施形態の回路遮断器本体３と同一構造である。
【００２２】
そして、２個の回路遮断器本体３Ａ，３Ｃに、保護カバー１６Ａ，１６Ｃが既に装着されており、２個の回路遮断器本体３Ａ，３Ｃの間の回路遮断器本体３Ｂに、これから保護カバー１６Ｂが装着される。ここで、保護カバー１６Ａ，１６Ｂ，１６Ｃも、第１実施形態の保護カバー１６と同一構造である。このように、本発明の保護カバー１６Ａ，１６Ｃを採用することで、隣接配置された回路遮断機本体３Ｂも保護カバー１６Ｂを後から取付けることが可能となる。
第２実施形態のように、配電盤の短尺方向に複数の端子台２Ａ，２Ｂ，２Ｃを隣接配置し、これら端子台２Ａ，２Ｂ，２Ｃに装着された回路遮断器本体３Ａ，３Ｂ，３Ｃに保護カバー１６を装着することで、上述した第１実施形態の効果と同様の効果を得ることができる。
【符号の説明】
【００２３】
１  プラグイン形の回路遮断器
２  端子台
２Ａ，２Ｂ，２Ｃ  端子台
３  回路遮断器本体
３Ａ，３Ｂ，３Ｃ  回路遮断器本体
４  底ケース
５  上部ケース
６  中間ケース
７  本体ケース
８ａ，８ｂ  端子カバー
９ａ，９ｂ  一対の側壁
１０  上壁
１０ａ  上段面
１０ｂ  下段面
１１  レバー開口部
１２  操作ハンドル
１３  レバー
１４  トリップ動作ボタン
１５  動作確認テストボタン
１６  保護カバー
１７ａ，１７ｂ  装着用凹部
１８ａ，１８ｂ  側部カバー
１９ａ  第１上部カバー
１９ｂ  第２上部カバー
２０ａ，２０ｂ  装着用凸部
２０ａ，２０ｂ  装着用凸部
２１  カバー開口部
２２ａ，２２ｂ  一対のヒンジ連結片
２３  ヒンジ穴
２４ａ，２４ｂ  一対の連結杆
２５  開閉カバー
２６ａ，２６ｂ  開閉カバー係合片
２７  係合凸部
２８  係合凹部
２９  リブ
３０  ボタン操作用開口部
３１  回路遮断器
【図１】
0006701967.tif 000002
【図２】
0006701967.tif 000003
【図３】
0006701967.tif 000004
【図４】
0006701967.tif 000005
【図５】
0006701967.tif 000006
【図６】
0006701967.tif 000007